(57)【特許請求の範囲】
【請求項１】
複数のアクセスポイントを有するネットワークシステムであって、各アクセスポイントは少なくとも一つのステーションとの無線通信に用いられることが可能であり、かつ各アクセスポイントは：
−  第一のチャネル周波数でプローブ信号を受信するか、または第二のチャネル周波数でプローブ信号を受信し；
−  第一のチャネル周波数で受信された該プローブ信号に対しては、第一のチャネル周波数で応答信号を発生および送信し、第二のチャネル周波数で受信された該プローブ信号に対しては、第二のチャネル周波数で応答信号を発生および送信する、
ようにアレンジされており、かつ少なくとも一つのアクセスポイントは：
−  該第一のチャネル周波数で該プローブ信号を発生および送信し、かつ該第二のチャネル周波数で該プローブ信号を発生および送信し；
−  該少なくとも一つのアクセスポイントから送信された該プローブ信号を、いずれかの他のアクセスポイントが該第一のチャネル周波数で受信し、そして該他のアクセスポイントから送信した少なくとも一つの応答信号を、該少なくとも一つのアクセスポイントが該第一のチャネル周波数で受信し、かつ該少なくとも一つのアクセスポイントから送信された該プローブ信号を、いずれかの他のアクセスポイントが該第二のチャネル周波数で受信し、そして該他のアクセスポイントから送信した少なくとも一つの応答信号を、該少なくとも一つのアクセスポイントが該第二のチャネル周波数で受信する、
ようにアレンジされたネットワークシステムにおいて、該少なくとも一つのアクセスポイントはさらに：
−  いずれかの他のアクセスポイントから送信され、該第一のチャネル周波数で受信された該少なくとも一つの応答信号、および／またはいずれかの他のアクセスポイントから送信され、該第二のチャネル周波数で受信された該少なくとも一つの応答信号に基づいて、該少なくとも一つのステーションと無線通信するための少なくとも一つのチャネル周波数を選択する、
ようにアレンジされており、
各チャネル周波数は、互いに重なり合わないものであり、
該少なくとも一つのアクセスポイントはＣＳｃｈａｎｎｅｌ_ＸおよびＩｃｈａｎｎｅｌ_Ｘを計算するようにアレンジされ、ここに
CSchannel_X＝Share (RX_L(X))＊Load(X)
であり、またここに
【数１】
0004200685.tif 000005
であり、ここにＲ_Ｌ（ｊ）はチャネル周波数ｊを有する応答信号の受信レベルに相当し、Ｌｏａｄ（ｊ）はチャネル周波数ｊ上の負荷に相当し、Ｎｏｉｓｅ_Ｌ（ｊ）はチャネル周波数ｊのノイズレベルに相当し、ＲＸ_Ｌ（ｊ）はチャネル周波数ｊで受信された応答信号の最大受信レベルに相当し、Ｓｈａｒｅ（ＲＸ_Ｌ（ｊ））は所定の関係に従ってＲＸ_Ｌ（ｊ）に依存する値に相当し、ＲＪ（ｊ−Ｘ）はチャネル周波数Ｘ上でチャネル周波数ｊを有する信号の拒絶レベルに相当し、ＲＪ（ｊ−Ｘ）は所定の関係に従ってｊ−Ｘに依存する値を有することを特徴とする、ネットワークシステム。
【請求項２】
複数のアクセスポイントを有するネットワークシステムであって、各アクセスポイントは少なくとも一つのステーションとの無線通信に用いられることが可能であり、かつ各アクセスポイントは：
−  第一のチャネル周波数でプローブ信号を受信するか、または第二のチャネル周波数でプローブ信号を受信し；
−  第一のチャネル周波数で受信された該プローブ信号に対しては、第一のチャネル周波数で応答信号を発生および送信し、第二のチャネル周波数で受信された該プローブ信号に対しては、第二のチャネル周波数で応答信号を発生および送信する、
ようにアレンジされており、かつ少なくとも一つのアクセスポイントは：
−  該第一のチャネル周波数で該プローブ信号を発生および送信し、かつ該第二のチャネル周波数で該プローブ信号を発生および送信し；
−  該少なくとも一つのアクセスポイントから送信された該プローブ信号を、いずれかの他のアクセスポイントが該第一のチャネル周波数で受信し、そして該他のアクセスポイントから送信した少なくとも一つの応答信号を、該少なくとも一つのアクセスポイントが該第一のチャネル周波数で受信し、かつ該少なくとも一つのアクセスポイントから送信された該プローブ信号を、いずれかの他のアクセスポイントが該第二のチャネル周波数で受信し、そして該他のアクセスポイントから送信した少なくとも一つの応答信号を、該少なくとも一つのアクセスポイントが該第二のチャネル周波数で受信する、
ようにアレンジされたネットワークシステムにおいて、該少なくとも一つのアクセスポイントはさらに：
−  いずれかの他のアクセスポイントから送信され、該第一のチャネル周波数で受信された該少なくとも一つの応答信号、および／またはいずれかの他のアクセスポイントから送信され、該第二のチャネル周波数で受信された該少なくとも一つの応答信号に基づいて、該少なくとも一つのステーションと無線通信するための少なくとも一つのチャネル周波数を選択する、
ようにアレンジされており、
各チャネル周波数は、少なくとも部分的に重なり合うものであり、
該少なくとも一つのアクセスポイントがさらにＣＳｃｈａｎｎｅｌ_ＸおよびＩｃｈａｎｎｅｌ_Ｘを計算するようにアレンジされ、ここに
【数２】
0004200685.tif 000006
であり、またここに
【数３】
0004200685.tif 000007
であり、ここにＲ_Ｌ（ｊ）はチャネル周波数ｊを有する応答信号の受信レベルに相当し、Ｌｏａｄ（ｊ）はチャネル周波数ｊ上の負荷に相当し、Ｎｏｉｓｅ_Ｌ（ｊ）はチャネル周波数ｊのノイズレベルに相当し、ＲＸ_Ｌ（ｊ）はチャネル周波数ｊで受信された応答信号の最大受信レベルに相当し、Ｓｈａｒｅ（ＲＸ_Ｌ（ｊ））は所定の関係に従ってＲＸ_Ｌ（ｊ）に依存する値に相当し、ＲＪ（ｊ−Ｘ）はチャネル周波数を有する信号の拒絶レベルに相当し、この際周波数ｊはチャネル周波数Ｘと重なり合い、ＲＪ（ｊ−Ｘ）は所定の関係に従ってｊ−Ｘに依存する値を有することを特徴とする、ネットワークシステム。
【請求項３】
該少なくとも一つのアクセスポイントがＣＳＩＱｃｈａｎｎｅｌ_Ｘを計算するようにアレンジされ、ここに
CSIQchannel_X＝(100%−CSchannel_X)−CorFac＊Ichannel_X
であり、ここにＣｏｒＦａｃの値は実験的に決定され、また第二のアクセスポイントがさらにＣＳＩＱｃｈａｎｎｅｌ_Ｘの値に基づいて、ステーションとの無線通信に用いられる少なくとも一つのチャネル周波数を選択するようにアレンジされる、請求項１または２によるネットワークシステム。
【請求項４】
先行する請求項のいずれか１項において少なくとも一つのアクセスポイントとしてアレンジされた、アクセスポイント。
【発明の詳細な説明】
【０００１】
【発明の属する技術分野】
本発明は複数のアクセスポイントを有するネットワークシステムに関し、詳しくは各アクセスポイントが少なくとも一つのステーションとの無線通信に用いられ、各アクセスポイントは：
−  第一のチャネル周波数で該プローブ信号を受信し、あるいは第二のチャネル周波数でプローブ信号を受信し；
−  第一のチャネル周波数で受信された該プローブ信号への応答として第一のチャネル周波数で応答信号を発生および送信し、第二の周波数で受信された該プローブ信号への応答として第二のチャネル周波数で応答信号を発生および送信する、
ようにアレンジされた、ネットワークシステムに関する。
【０００２】
【従来の技術】
上述のようなネットワークシステムは公知である。このようなシステムは少なくとも一つのステーションとネットワークとの間の無線通信に用いられる。ステーションは、ステーションと少なくとも一つのアクセスポイントとの間の通信が可能な領域のなかで自由に移動し得る。ステーションがアクセスポイントと通信を開始する前に、そのステーションは信頼性ある適当な通信状態を与えるアクセスポイントを探索する。そのためにこのステーションは第一のチャネル周波数を有するプローブ信号と、第二のチャネル周波数を有するプローブ信号を発生し、かつ送信するようにアレンジされる。ある時点で各アクセスポイントは、第一の周波数でプローブ信号を受信するか、あるいは第二の周波数でプローブ信号を受信するようにアレンジされる。さらに各アクセスポイントは、受信したプローブ信号への応答として、受信したプローブ信号のチャネル周波数に対応するチャネル周波数を有する応答信号を発生し、かつ送信するようにアレンジされる。ステーションはそのアクセスポイントからの信号の受信状態が満足であれば、そのアクセスポイントとの通信を確立するようにアレンジされる。ステーションが移動して受信状態が変化した場合は、ステーションは新しいプローブ信号の発生および送信を開始し、かくして他のアクセスポイントと、または新しいチャネル周波数を用いて、あるいはその両方で、通信を確立する。
【０００３】
これらの公知のネットワークシステムは、ＩＥＥＥ８０２．１１規格に記載される、ステーションとの無線通信のための媒体アクセススキームに準拠して運用されることが多い。
【０００４】
第一のステーションと第一のアクセスポイントとの間の、特定のチャネル周波数による通信は、例えば同じ周波数またはほとんど同じ周波数で信号を交換する第二のアクセスポイントと第二のステーションとの間の通信による干渉によって、阻害される可能性がある。またネットワークシステムの近くにある高周波オーブンやラジオなどの他の機器が干渉源となることもある。
【０００５】
この理由のために、第一のチャネル周波数を有するプローブ信号を受信するようにアレンジされているアクセスポイントが、第一のチャネル周波数を有する信号の代わりに、第二のチャネル周波数を有する信号を受信するように再アレンジされなければならない場合がある。この再アレンジは、例えば（コンピューター）ネットワーク管理装置によって行うことができる。しかしながらネットワーク管理装置にとって、各々のアクセスポイントに信号受信のためのチャネル周波数を選択してやることは実際的ではない。とりわけ、コンクリート床で隔てられ、多くの干渉機器が稼働中の各階にわたってステーションが自由に移動する、高層ビルディングにおいては実際的ではない。本発明の目的は、ネットワークシステムのアクセスポイントとステーションとの間の無線通信に用いられるチャネル周波数を選択するのに、ネットワーク管理装置を必要としないような、別法のネットワークシステムを提供することである。
【０００６】
【課題を解決するための手段】
この目的のために、本発明の第一の実施態様によれば、少なくとも一つのアクセスポイントは以下のようにアレンジされている。即ち、：
−  少なくとも一つのアクセスポイントが、第一のチャネル周波数でプローブ信号を発生および送信し、かつ第二のチャネル周波数でプローブ信号を発生および送信し；
−  該少なくとも一つのアクセスポイントから送信された該プローブ信号をいずれかの他のアクセスポイントが第１のチャネル周波数で受信し、そしてこの受信した他のアクセスポイントから送信した少なくとも一つの応答信号を該少なくとも一つのアクセスポイントが第一のチャネル周波数で受信し、また、該少なくとも一つのアクセスポイントから送信された該プローブ信号をいずれかの他のアクセスポイントが第二のチャネル周波数で受信し、そしてこの受信した他のアクセスポイントから送信した少なくとも一つの応答信号を該少なくとも一つのアクセスポイントが第二のチャネル周波数で受信する、ようにアレンジされ、この際該少なくとも一つのアクセスポイントはさらに：
−  いずれかの他のアクセスポイントから送信され、第一のチャネル周波数で受信された該少なくとも一つの応答信号、および／またはいずれかの他のアクセスポイントから送信され、第二のチャネル周波数で受信された該少なくとも一つの応答信号に基づいて、該少なくとも一つのステーションと無線通信するための少なくとも一つのチャネル周波数を選択するようにアレンジされる。
【０００７】
本発明によるネットワークシステムにおいては、少なくとも一つのアクセスポイントは次いで、ステーションとの無線通信のためのチャネル周波数を選択するようにアレンジされるが、この際アクセスポイントが信号を送受信するべくアレンジされたチャネル周波数を再アレンジするような、ネットワーク管理装置は用いられない。
【０００８】
アクセスポイントがチャネル周波数を選択するということは、またアクセスポイントが、選択されたチャネル周波数を有する信号を受信するように自分自身を再アレンジすることを意味することは自明である。
【０００９】
本発明の好ましい実施態様によれば、ネットワークシステムは、少なくとも一つのアクセスポイントが、ステーションとアクセスポイントとの間の通信に際して用いられるビットレートよりも低いビットレートで、各プローブ信号を送信するようにアレンジされることを特徴とする。このようなネットワークシステムの実施態様の利点は、少なくとも一つのアクセスポイントから送信されるプローブ信号が、その少なくとも一つのアクセスポイントから比較的遠距離に位置するアクセスポイントに受信され易いことである。
【００１０】
本発明の他の実施態様によれば、ネットワークシステムは、少なくとも一つのアクセスポイントが、アクセスポイントとステーションとの間の通信に際して用いられた信号検知しきい値よりも低い信号検知しきい値に合わせるようにアレンジされることを特徴とする。このようにしてこの少なくとも一つのアクセスポイントは、この少なくとも一つのアクセスポイントから比較的遠距離に位置するアクセスポイントからの応答信号を受信する確率が高くなるようにアレンジされる。
【００１１】
本発明の他の実施態様によれば、ネットワークシステムは、各々のアクセスポイントが前記少なくとも一つのアクセスポイントとしてアレンジされることを特徴とする。その利点は、すべてのアクセスポイントがステーションとの無線通信に用いられるチャネル周波数を選択するようにアレンジされること、および、この特定のネットワークシステムにおいては、アクセスポイントが信号を送受信するべくアレンジされたチャネル周波数を再アレンジするためのネットワーク管理装置が必要とされないことである。
【００１２】
本発明の他の実施態様によれば、ネットワークシステムは、少なくとも一つのアクセスポイントが所定時間の後にプローブ信号を発生および送信するようにアレンジされることを特徴とする。その利点は、使用中のこの少なくとも一つのアクセスポイントが、ステーションとの無線通信のために従来用いていたチャネル周波数が該チャネル周波数上の外乱のためにもはや適当でなくなったときに、他のチャネル周波数を選択するようにアレンジされることである。
【００１３】
本発明はまたアクセスポイントに供給されるカードに関する。この場合このアクセスポイントは複数のアクセスポイントを有するネットワークの一部であり、各アクセスポイントはステーションとの無線通信に用いられる。
【００１４】
【発明の実施の形態】
本発明のこれらの、およびその他の態様は以下に説明する実施例によって明らかとなる。
【００１５】
第１図は公知のネットワークシステム１を示している。ネットワークシステム１は複数のアクセスポイント２．ｉ（ｉ＝１，２，……，４）を有する。各アクセスポイント２．ｉはステーション３との無線通信に用いられる。実用上は、多くのステーション３が存在し得る。各ステーションは例えばＩＥＥＥ８０２．１１規格に準拠してアクセスポイント２．ｉと無線通信することができる。ステーション３がアクセスポイント２．ｉと通信を確立する前に、ステーション３は第一のチャネル周波数（ｊ＝１）でプローブ信号Ｐ１を発生し、送信する。
【００１６】
Ｐ１が送信された時点でプローブ信号Ｐ１を第一のチャネル周波数（ｊ＝１）で受信するようにアレンジされているアクセスポイント２．ｉは、プローブ信号Ｐ１を受信する。第１図において、アクセスポイント２．１およびアクセスポイント２．３は、ステーション３がＰ１を送信した時点ではプローブ信号Ｐ１を受信するようにアレンジされている。一方、アクセスポイント２．２およびアクセスポイント２．４は、ステーション３がプローブ信号Ｐ１をチャネル周波数（ｊ＝１）で送信した時点ではプローブ信号Ｐ２をチャネル周波数（ｊ＝２）で受信するようにアレンジされている。したがってアクセスポイント２．２およびアクセスポイント２．４は、チャネル周波数（ｊ＝１）を有するプローブ信号Ｐ１を受信しない。さらにアクセスポイント２．１およびアクセスポイント２．３は、チャネル周波数（ｊ＝１）で受信されたプローブ信号Ｐ１への応答として、応答信号Ｒ１．１および応答信号Ｒ１．３をそれぞれ発生および送信するようにアレンジされる。これらの応答信号Ｒ１．１、Ｒ１．３はステーション３によって受信される。プローブ信号Ｐ１を発生および送信し、応答信号Ｒ１．ｉを受信した後、ステーション３はプローブ信号Ｐ２をチャネル周波数（ｊ＝２）で発生および送信する。プローブ信号Ｐ２を第二のチャネル周波数（ｊ＝２）で受信するようにアレンジされているアクセスポイント２．ｉは、プローブ信号Ｐ２を受信する。したがって第１図においてアクセスポイント２．２およびアクセスポイント２．４はプローブ信号Ｐ２を受信するが、アクセスポイント２．１および２．２はプローブ信号Ｐ２を受信しない。受信されたプローブ信号Ｐ２への応答として、アクセスポイント２．２およびアクセスポイント２．４はそれぞれ応答信号Ｒ２．２および応答信号Ｒ２．４を、チャネル周波数（ｊ＝２）で発生および送信する。応答信号Ｒ２．２および応答信号Ｒ２．４は、この時点で応答信号をチャネル周波数（ｊ＝２）で受信するようにアレンジされているステーション３で受信される。ステーションはさらに無線通信するべきアクセスポイントとチャネル周波数を選択するようにアレンジされる。各アクセスポイント２．ｉはまたネットワーク管理装置４と通信するようにアレンジされる。例えばアクセスポイント２．２のようなアクセスポイントがプローブ信号を第二のチャネル周波数で受信するようにアレンジされていれば、ネットワーク管理装置４はアクセスポイント２．２を再アレンジするようにアレンジされる。するとアクセスポイント２．２は第一のチャネル周波数でプローブ信号を受信するようにアレンジされ、第二のチャネル周波数ではもはや受信しない。ネットワーク管理装置４は、各アクセスポイント２．ｉにプローブ信号を受信するためのチャネル周波数ｊを選択してやるようにアレンジされる。
【００１７】
第２図に本発明によるネットワークシステム６が示されている。このネットワークシステム６もまた複数のアクセスポイント２．ｉを有しており、各アクセスポイント２．ｉはステーション（第２図に図示せず）との無線通信に用いられる。少なくとも一つのアクセスポイント、すなわち第２図ではアクセスポイント２．１が、第一のプローブ信号Ｐ１をチャネル周波数（ｊ＝１）で発生および送信するようにアレンジされている。プローブ信号Ｐ１が送信された時点で、一部のアクセスポイント２．ｉは第一のチャネル周波数（ｊ＝１）でプローブ信号を受信するようにアレンジされる。第２図ではアクセスポイント２．２、アクセスポイント２．５、およびアクセスポイント２．６が、チャネル周波数（ｊ＝１）でプローブ信号Ｐ１を受信するようにアレンジされている。これらのアクセスポイントはまた、プローブ信号Ｐ１が受信された時点でその受信されたプローブ信号Ｐ１への応答として、応答信号Ｒｊ．ｉをチャネル周波数（ｊ＝１）で発生および送信するようにアレンジされる。アクセスポイント２．１は、チャネル周波数（ｊ＝１）でプローブ信号Ｐ１を受信したいずれかの他のアクセスポイントから送信された応答信号Ｒ１．ｉを、第一のチャネル周波数（ｊ＝１）で受信するようにアレンジされる。少なくとも一つのアクセスポイント２．１はまた、プローブ信号Ｐ２を第二のチャネル周波数（ｊ＝２）で発生および送信するようにアレンジされる。Ｐ２が送信された時点で一部のアクセスポイント、この場合はアクセスポイント２．３およびアクセスポイント２．４が、プローブ信号Ｐ２を第二のチャネル周波数（ｊ＝２）で受信するようにアレンジされている。これらのアクセスポイント２．３、２．４はさらに、第二のチャネル周波数（ｊ＝２）で受信されたプローブ信号Ｐ２への応答として、応答信号Ｒ２．ｉを第二のチャネル周波数（ｊ＝２）で発生および送信するようにアレンジされる。少なくとも一つのアクセスポイント２．１はさらに、プローブ信号Ｐ２を第二のチャネル周波数（ｊ＝２）で受信したいずれかのアクセスポイント、この場合はアクセスポイント２．３およびアクセスポイント２．４から送信された応答信号Ｒ２．ｉを、第二のチャネル周波数（ｊ＝２）で受信するようにアレンジされる。もちろん、少なくとも一つのアクセスポイントがプローブ信号Ｐ１を発生および送信するようにアレンジされた時点と、少なくとも一つのアクセスポイントがプローブ信号Ｐ２を発生および送信するようにアレンジされた時点との間には、短い時間差、たとえば５０マイクロ秒のオーダーの時間差がある。同様に、少なくとも一つのアクセスポイントが応答信号を第一のチャネル周波数（ｊ＝１）で受信するようにアレンジされた時点と、少なくとも一つのアクセスポイントが応答信号を第二のチャネル周波数（ｊ＝２）で受信するようにアレンジされた時点との間には、短い時間差がある。少なくとも一つのアクセスポイントはさらに、第一のチャネル周波数（ｊ＝１）で受信された少なくとも一つの応答信号Ｒ１．ｉ、および第二のチャネル周波数（ｊ＝２）で受信された少なくとも一つの応答信号Ｒ２．ｉに基づいて、少なくとも一つのステーション（図示せず）と無線通信するための少なくとも一つのチャネル周波数を選択するようにアレンジされる。
【００１８】
チャネル周波数（ｊ＝１、ｊ＝２）の数は、一般にｎまでの大きな数であり、ｎは２よりもはるかに大きい。少なくとも一つのアクセスポイント、すなわち第２図の場合のアクセスポイント２．１は、次いでプローブ信号Ｐ１、Ｐ２、……Ｐｎを、それぞれチャネル周波数（ｊ＝１、２、……ｎ）で送信するようにアレンジされる。したがって、あるアクセスポイントは次いでそのプローブ信号Ｐ１、Ｐ２、……Ｐｎの一つを、チャネル周波数（ｊ＝１、２、……ｎ）で受信するようにアレンジされる。したがってアクセスポイント２．ｉはこれらのプローブ信号Ｐ１、Ｐ２、……Ｐｎに応答するようにアレンジされる。少なくとも一つのアクセスポイント、この場合はアクセスポイント２．１は、次いで応答信号Ｒｊ．ｉを受信するようにアレンジされる。
【００１９】
少なくとも一つのアクセスポイント、この場合アクセスポイント２．ｉは、この実施例では全ての応答信号Ｒｊ．ｉに基づいて、ステーション（第２図に図示せず）との無線通信に用いられる少なくとも一つのチャネル周波数（ｊ＝１、２、……ｎ）を選択するようにアレンジされる。少なくとも一つのアクセスポイント、この場合アクセスポイント２．１は、好ましくは各プローブ信号Ｐ１、Ｐ２、……Ｐｎを、ステーション（図示せず）とアクセスポイント２．ｉとの通信に際して用いられるビットレートよりも低いビットレートで送信するようにアレンジされる。このようにして、少なくとも一つのアクセスポイント２．１から比較的遠距離に位置する２．５、２．７、２．６の各アクセスポイントによっても、プローブ信号Ｐ１、Ｐ２、……Ｐｎの１つが受信される確率が高くなる。したがって次いでこの少なくとも一つのアクセスポイント２．１は、ステーション（図示せず）とアクセスポイント２．ｉとの間の通信に際して用いられる信号検知しきい値よりも低い信号検知しきい値に合わせるようにアレンジされる。これによって少なくとも一つのアクセスポイント２．１が応答信号Ｒｊ．ｉを受信する確率が高くなる。一般に、少なくとも一つのアクセスポイント２．１は前記選択を各チャネル周波数（ｊ＝１、２、……ｎ）についての最高受信レベルの比較に基づいて行うようにアレンジされる。これに加えて各アクセスポイント２．１は、前記選択をさらに各チャネル周波数ｊについての負荷の比較に基づいて行うようにアレンジされてもよい。この場合チャネル周波数ｊを有する各応答信号は各チャネル周波数ｊの合計負荷に加算される。さらにまた少なくとも一つのアクセスポイント２．１は前記選択を、各チャネル周波数ｊについての平均ノイズレベルの比較に基づいて行うようにアレンジされることも可能である。ネットワークシステム内で用いられるチャネル周波数ｊは重なり合ってはならない。例えば５ＧＨｚ前後の周波数に用いられるこのようなチャネル周波数スキームに関連する実施例において、少なくとも一つのアクセスポイント２．１はＣＳｃｈａｎｎｅｌ_ｘおよびＩｃｈａｎｎｅｌ_ｘを計算するようにアレンジされる。ここに
CSchannel_X＝Share (RX_L(X))＊Load(X)
であり、また、
【数４】
0004200685.tif 000002
である。ここにＲ_Ｌ（ｊ）はチャネル周波数ｊを有する応答信号Ｒｊ．ｉの受信レベルに相当する。Ｌｏａｄ（ｊ）はチャネル周波数ｊ上の負荷に相当し、Ｎｏｉｓｅ_Ｌ（ｊ）はチャネル周波数ｊのノイズレベルに相当するか、または干渉とチャネルｊのノイズを併せたノイズ測定の結果に相当する。ＲＸ_Ｌ（ｊ）はチャネル周波数ｊで受信された応答信号Ｒｊ．ｉの最大受信レベルに相当する。この場合、Ｓｈａｒｅ（ＲＸ_Ｌ（ｊ））は所定の関係に従ってＲＸ_Ｌ（ｊ）に依存する値に相当する。一方、ＲＪ（ｊ−Ｘ）はチャネル周波数Ｘ上のチャネル周波数ｊを有する信号の拒絶レベルに相当し、所定の関係に従ってｊ−Ｘに依存する値を有する。通常、ＲＸ_Ｌ（ｊ）は−２０ないし−１００ｄＢｍの範囲に限定される。Ｌｏａｄ（ｊ）については、チャネル周波数ｊで応答するアクセスポイント２．ｉは通常０−１００の範囲の負荷値を付加し、これによって０−１０００の範囲に限定された合計負荷を与える。一例として、
Ｓｈａｒｅ（ＲＸ_Ｌ（ｊ））は、ＲＸ_Ｌ（ｊ）が信号検知しきい値以下１０ｄＢより低ければ０に等しい（無次元）；
ＲＸ_Ｌ（ｊ）が信号検知しきい値以下１０ｄＢより高く、同じく９ｄＢより低ければ０．１に等しい；……
ＲＸ_Ｌ（ｊ）が信号検知しきい値以下１０−ｉ＋１ｄＢより高く、同じく１０−ｉｄＢより低ければ１／１０に等しい；……
ＲＸ_Ｌ（ｊ）が信号検知しきい値以下２ｄＢより高く、同じく１ｄＢより低ければ０．９に等しい；そして
ＲＸ_Ｌ（ｊ）が信号検知しきい値以下１ｄＢより高ければ１に等しい。ＲＸ_Ｌ（ｊ）は一般に−５０ないし−１００ｄＢｍの範囲に限定される。ＲＪ（ｊ−Ｘ）は通常、ｄＢで表される。拒絶数は受信フィルターの５ＧＨｚ付近のスペクトル形状に関連する拒絶数から得られる。前記スペクトル形状は事実上、隣接周波数との干渉を特徴づける。もう一つの実施例は少なくとも部分的に重なり合うチャネル周波数で信号を送受信するようにアレンジされたネットワークシステムに関するものである。通常２．４ＧＨｚ前後のチャネル周波数で運用されるこのようなネットワークシステムにおいては、少なくとも一つのアクセスポイントはＣＳｃｈａｎｎｅｌ_ＸおよびＩｃｈａｎｎｅｌ_Ｘを計算するようにアレンジされる。ここに；
【数５】
0004200685.tif 000003
であり、
【数６】
0004200685.tif 000004
である。
【００２０】
これらの特定の実施例の両方において、すなわち部分的に重なり合うチャネル周波数で運用されるネットワークと、重なり合わないチャネル周波数で運用されるネットワークの両方において、少なくとも一つのアクセスポイント２．１はＣＳＩＱｃｈａｎｎｅｌ_Ｘを計算するようにアレンジされる。ここに
CSIQchannel_X＝(100%−CSchannel_X)−CorFac＊Ichannel_X
である。ここにＣＳＩＱｃｈａｎｎｅｌ_Ｘの値は実験的に決定される。この場合少なくとも一つのアクセスポイントは、ステーションとの無線通信に用いられる少なくとも一つのチャネル周波数を、ＣＳＩＱｃｈａｎｎｅｌ_Ｘの値に基づいて選択するようにアレンジされる。理想的には、すべてのアクセスポイント２．ｉが少なくとも一つのアクセスポイント２．１としてアレンジされる。この場合ネットワークシステムは、すべてのアクセスポイント２．１が、ステーションとの無線通信に用いられるチャネル周波数を自動的に選択できるようにアレンジされる。アクセスポイントがチャネル周波数を選択するということは、その選択されたチャネル周波数で信号を受信できるように、アクセスポイントが自分自身を再アレンジすることを意味することは自明である。少なくとも一つのアクセスポイント２．ｉは普通、所定時間の後にプローブ信号Ｐ１、Ｐ２、……Ｐｎを送信するようにアレンジされる。チャネル周波数の使用可能性を同時にチェックすることを避けるために、各々の少なくとも一つのアクセスポイントはそれぞれの少なくとも一つのアクセスポイント２．ｉについて個別に発生されるランダムな時間の後に、プローブ信号Ｐ１、Ｐ２、……Ｐｎを送信するようにアレンジされてもよい。別法として、各々の少なくとも一つのアクセスポイント２．ｉは、中央で決定される互いに異なる時間の後に、プローブ信号Ｐ１、Ｐ２、……Ｐｎを送信するようにアレンジされてもよい。
【００２１】
本発明の範囲内で、多くの別法の実施例が可能である。アクセスポイントは第一のチャネル周波数でのプローブ信号の発生および送信と、第二のチャネル周波数でのプローブ信号の発生および送信との間に時間を置くようにアレンジされてもよい。さらに、少なくとも一つのアクセスポイント２．１はすべての可能なチャネル周波数で、通信内の外乱に応じて１分ごとに、あるいは１時間ごとにプローブ信号を送信するようにアレンジされてもよい。
【００２２】
少なくとも一つのアクセスポイントは応答信号の受信を、例えば５０ミリ秒だけ遅らせるようにアレンジされてもよい。これは応答信号を送信するアクセスポイントが、例えばステーションとの通信で非常に混んでいるときに必要となり得る。
【００２３】
少なくとも一つのアクセスポイントはさらに、応答信号がまったくない状態を、この応答信号の受信レベルが非常に低い状態に変換し、あるいは要すれば、この受信レベルが良好な状態に変換し、これに加えて例えば関係するチャネル周波数の負荷レベルが高い状態に変換するようにアレンジされてもよい。
【００２４】
以上において本発明の実施例を詳細に説明したが、本発明は具体的な実施例に限定されるものではなく、また当業者は特許請求の範囲に規定される本発明の範囲から逸脱することなく、修正および変形を行い得ることは自明である。
【図面の簡単な説明】
【図１】公知のネットワークシステムである。
【図２】本発明によるネットワークシステムの実施例である。
【図１】
0004200685.tif 000008
【図２】
0004200685.tif 000009